(57)【要約】【課題】正確なプルダウン検出結果を求め、検出結果に対応した補間処理を行なうことができる補間処理装置及び補間処理方法及び映像表示装置を提供する。【解決手段】映像信号を受け第１及び第２プルダウン検出信号を出力する第1及び第２プルダウン検出部５１，２１と、映像信号を記憶領域に格納して遅延映像信号を出力するメモリ部２４，２５と、映像信号と遅延映像信号を比較して動きベクトルを検出する検出部２２と、動きベクトル及びメモリ部からの映像信号と遅延映像信号に基づいて、補間画像信号を生成する生成部２３と、第１及び第２プルダウン検出信号の検出結果に基づいて映像信号に補間画像信号を補間する変換部１３，２６をもつ補間処理装置。【選択図】図１
2009159321.tif 000002
【特許請求の範囲】
【請求項１】
映像信号を受け第１プルダウン検出信号を出力する第1プルダウン検出部と、
前記映像信号を受け第２プルダウン検出信号を出力する第２プルダウン検出部と、
前記映像信号を記憶領域に格納して遅延映像信号を出力するメモリ部と、
前記映像信号と前記遅延映像信号を比較して動きベクトルを検出する動きベクトル検出部と、
前記動きベクトル検出部の検出結果及び前記メモリ部からの前記映像信号と前記遅延映像信号に基づいて補間画像信号を生成する補間画像生成部と、
前記第１プルダウン検出信号及び前記第２プルダウン検出信号の検出結果に基づいて前記映像信号に前記補間画像信号を補間することで変換後の映像信号を出力する変換部と、
を具備することを特徴とする補間処理装置。
【請求項２】
前記第２プルダウン検出部は、前記映像信号に対して所定の画像処理を施した後の前記映像信号を受けることを特徴とする請求項１記載の補間処理装置。
【請求項３】
前記第１プルダウン検出部は、前記映像信号を受けてＩＰ変換を行なうＩＰ変換回路に含まれているプルダウン検出部であることを特徴とする請求項１記載の補間処理装置。
【請求項４】
前記変換部は、前記第１及び第２のプルダウン検出信号の検出結果に応じて補間画像信号を用いて補間処理を行なう第１態様と、
前記第１及び第２のプルダウン検出信号の検出結果に応じて前記第１態様よりも補間画像信号の割合を少なくして補間処理を行う第２態様を有することを特徴とする請求項１記載の補間処理装置。
【請求項５】
前記変換部は、前記第１及び第２のプルダウン検出信号の検出結果に応じて補間画像信号を用いて補間処理を行なう第１態様と、
前記第１及び第２のプルダウン検出信号の検出結果に応じて前記第１態様よりも補間画像信号の種類を少なくして補間処理を行う第２態様とを有することを特徴とする請求項１記載の補間処理装置。
【請求項６】
前記第１及び第２プルダウン検出部は、前記映像信号から２−３プルダウン映像信号または２−２プルダウン映像信号を検出することを特徴とする請求項１記載の補間処理装置。
【請求項７】
前記変換部は、供給される映像信号を二倍以上の周波数の映像信号に変換して出力することを特徴とする請求項１記載の補間処理装置。
【請求項８】
前記第２プルダウン検出部に含まれるフィールド間差分信号またはフレーム間差分信号の判定回路を更に具備し、
前記第１プルダウン検出信号と前記第２プルダウン検出信号のそれぞれの検出結果が同一となるように、前記判定回路の比較処理に用いられる基準値を変更する制御部を更に有することを特徴とする請求項１記載の補間処理装置。
【請求項９】
映像信号を受け第１プルダウン検出信号を出力し、
前記映像信号を受け第２プルダウン検出信号を出力し、
前記映像信号を記憶領域に格納して遅延映像信号を出力し、
前記映像信号と前記遅延映像信号を比較して動きベクトルを検出し、
前記動きベクトルの検出結果及び前記映像信号と前記遅延映像信号に基づいて、補間画像信号を生成し、
前記第１プルダウン検出信号及び前記第２プルダウン検出信号の検出結果に基づいて前記映像信号に前記補間画像信号を補間することを特徴とする補間画像方法。
【請求項１０】
放送信号を受信して映像信号を出力するチューナ部と、
前記チューナ部からの前記映像信号から第１プルダウン検出信号を出力する第１プルダウン検出部と、
前記映像信号を受け第２プルダウン検出信号を出力する第２プルダウン検出部と、
前記映像信号を記憶領域に格納して遅延映像信号を出力する遅延映像信号出力部と、
前記映像信号と前記遅延映像信号を比較して動きベクトルを検出する動きベクトル検出部と、
前記動きベクトルの検出結果、前記映像信号及び前記遅延映像信号に基づいて、補間画像信号を生成する補間画像信号生成部と、
前記第１プルダウン検出信号及び前記第２プルダウン検出信号を受け、これらの検出結果に基づいて前記映像信号に前記補間画像信号を補間して変換後の映像信号を出力する変換部と、
前記変換部から供給される変換後の映像信号に基づいて映像を表示する表示部と、
を具備することを特徴とする映像表示装置。
【発明の詳細な説明】
【技術分野】
【０００１】
この発明は、画像信号からプルダウン信号を検出して補間処理を施す補間処理装置、補間処理方法及び映像表示装置に関する。
【背景技術】
【０００２】
周知のように、最近、平面ディスプレイをもつデジタルテレビジョン装置等が普及してきており、これらのデジタルテレビジョン装置の内部には、円滑な画像表示とするべく、映像信号に補間画像処理を施す補間処理装置が設けられている。すなわち、液晶ＴＶを代表するデジタルテレビジョン装置において、導入されている動画改善技術の一つとして、映画ソースの動きをスムーズにするフィルムジャダーキャンセラー（Film Judder Canceller）機能が知られている。
【０００３】
特許文献１は、映像信号がフィルム映像信号である場合、映像にジャダー（ｊｕｄｄｅｒ）が発生するという不具合を回避するべく、フィルムジャダーキャンセラーによりジャダーを検出して補間処理を施す映像処理装置を提供する。
【特許文献１】特開２００６−１０９４８８号公報
【発明の開示】
【発明が解決しようとする課題】
【０００４】
しかし、特許文献１の従来技術は、映像信号がフィルム映像信号であることを示すプルダウン検出信号の検出結果に誤検出がある場合に対して、正確な検出結果を導くことができない。すなわち、フィルムジャダーキャンセラー機能は、映画ソースの２−３シーケンス（ＰＡＬなら２−２シーケンス）を検出し、ビデオソースとは異なったフレーム補間処理を行うが、内挿フレームが通常ビデオソースより多い分、一旦誤検出してしまうと破綻映像が目立ってしまうため、画面品位としては非常に悪いという問題がある。
【０００５】
本発明は、正確なプルダウン検出結果を求め、検出結果に対応した補間処理を行なうことができる補間処理装置及び補間処理方法及び映像表示装置を提供することを目的とする。
【課題を解決するための手段】
【０００６】
課題を解決するための一実施形態は、
映像信号を受け第１プルダウン検出信号を出力する第1プルダウン検出部（５１）と、
前記映像信号を受け第２プルダウン検出信号を出力する第２プルダウン検出部（２１）と、
前記映像信号を記憶領域に格納して遅延映像信号を出力するメモリ部（２４，２５）と、
前記映像信号と前記遅延映像信号を比較して動きベクトルを検出する動きベクトル検出部（２２）と、
前記動きベクトル検出部の検出結果及び前記メモリ部からの前記映像信号と前記遅延映像信号に基づいて補間画像信号を生成する補間画像生成部（２３）と、
前記第１プルダウン検出信号及び前記第２プルダウン検出信号の検出結果に基づいて前記映像信号に前記補間画像信号を補間することで変換後の映像信号を出力する変換部（１３，２６）と、を具備することを特徴とする補間処理装置である。
【発明の効果】
【０００７】
ＩＰ変換部からのプルダウン検出信号及び補間処理装置内で検出したプルダウン検出信号等の複数のプルダウン検出信号を取得し、これらの検出結果（論理値）に応じた段階的な画像補間処理を行なうことで、誤検出による画像の破綻を回避して適切な補間処理を可能にする。
【発明を実施するための最良の形態】
【０００８】
以下、この発明の実施の形態について図面を参照して詳細に説明する。
【０００９】
＜本発明の一実施形態に係る補間処理装置の一例＞
（構成）
初めに、本発明の一実施形態に係る補間処理装置とその周辺回路について、図１を用いて説明する。図１は、本発明の一実施形態に係る画像処理のための構成の一例を示すブロック図である。図１において、画像処理のための構成１０が開示されており、本発明の一実施形態に係る補間処理部１２は、一例として、後述する映像表示装置１００の画像処理部１１の後段に設けられる。本発明の一実施形態に係る補間処理部１２は、図１に示すように、映像信号が供給される画像処理部１１の後段に設けられ、例えば、制御部１３に接続されている。補間処理部１２からの出力は、ＬＣＤパネル１４等の平面表示装置等に供給される。
【００１０】
画像処理部１１は、入力された映像信号に種々の画像処理を施す。すなわち、画像処理部１１は、一例として、図１に示すように、映像信号のＩＰ変換処理を行なうＩＰ変換部１５と、映像信号のノイズリダクション処理を行なうノイズリダクション回路１６と、ノイズリダクション回路からの出力を受けてスケーラ処理を行なうスケーラ回路１７と、映像信号の画質処理を行なう画質処理回路１８を有している。
【００１１】
また、ここで各回路の動作を司る制御部１３には、一例として、画像処理部１１内の例えばＩＰ変換部１５内に設けられたプルダウン検出部５１から第１プルダウン検出信号が供給され、更に、補間処理部１２内に設けられたプルダウン検出部２１から第２プルダウン検出信号が供給されている。更に、制御部１３は、制御信号を少なくとも補間処理部１２及び補間処理部１２内に設けられた倍速変換部２６に供給している。
【００１２】
更に、図２は本発明の一実施形態に係る補間処理部の構成の一例を示すブロック図である。補間処理部１２は、図２に示すように、映像信号及びフィールド遅延映像信号が各々与えられる動きベクトル検出部２２と、この検出結果が供給されるとともに補間画像を生成する動きベクトル補間画像生成部２３と、同じく画像処理が施された映像信号及びフィールド遅延映像信号が与えられるプルダウン検出部２１と、この検出結果が与えられる倍速変換部２６を有している。更に、補間処理部１２は、フィールド遅延した映像信号を取得するための（フィールド遅延用）メモリ部２４と、（倍速変換用）メモリ部２５を有している。
【００１３】
（プルダウン検出部）
更に、図３は、本発明の一実施形態に係る補間処理部が用いるプルダウン検出部２１の構成の一例を示すブロック図である。プルダウン検出部は、上述したように、少なくとも画像処理部１１内のＩＰ変換部１５内に設けられ、更に、補間処理部１２内にプルダウン検出部２１が設けられている。
【００１４】
これらのプルダウン検出部２１，５１は、一例として図３に示すように、１フィールド遅延信号及び現フィールド信号が供給されるフィールド間差分回路５２と、１フレーム遅延信号及び現フレーム信号が供給されるフレーム間差分回路５３と、２−３プルダウンが検出できたかどうかを判定する２−３プルダウン用フィールド間相関判定回路５４と、２−３プルダウンが検出できたかを判定する２−３プルダウン用フレーム間相関判定回路５５を有している。
【００１５】
さらに、プルダウン検出部２１，５１は、２−２プルダウンが検出できたかどうかを判定する２−２プルダウン用フィールド間相関判定回路５６と、２−２プルダウンが検出できたかどうかを判定する２−２プルダウン用フレーム間相関判定回路５７と、２−３プルダウンが検出できたかどうかを判定するパターン検出２−３プルダウン判定回路５８と、２−２プルダウンが検出できたかどうかを判定するパターン検出２−２プルダウン判定回路５９と、これらの検出結果を出力する検出結果出力部６０を有している。検出結果出力部６０からは、プルダウン検出信号が出力される。
【００１６】
プルダウン検出部５１では、２−３プルダウン用フィールド間相関判定回路５４が、フィールド間差分回路５２で求められた１フィールド遅延信号に基づき、フィールド間の２−３プルダウンが検出できるかどうかを判定する。
【００１７】
同様に、２−３プルダウン用フレーム間相関判定回路５５が、フレーム間差分回路５３で求められた１フレーム差分信号に基づき、フレーム間の２−３プルダウンが検出できるかどうかを判定する。
【００１８】
同様に、２−２プルダウン用フィード検出回路５６では、２−２プルダウン用フィールド間相関判定回路５６が、フィールド間差分回路５２で求められた１フィールド遅延信号に基づき、フィールド間の２−２プルダウンが検出できるかどうかを判定する。
【００１９】
同様に、２−２プルダウン用フレーム間相関判定回路５７が、フレーム間差分回路５３で求められた１フレーム差分信号に基づき、フレーム間の２−２プルダウンが検出できるかどうかを判定する。
【００２０】
なお、２−３プルダウン用フィールド間相関判定回路５４、２−３プルダウン用フレーム間相関判定回路５５、２−２プルダウン用フィード検出回路５６、２−２プルダウン用フレーム間相関判定回路５７は、入力される映像信号が静止画か動画かを基準値（閾値）と比較して判断し、その判断結果に基づいて、それぞれ、各２−３プルダウン信号、２−２プルダウン信号を検出するものである。
【００２１】
そして、２−３プルダウン用フィールド間相関判定回路５４の出力と、２−３プルダウン用フレーム間相関判定回路５５の出力がパターン検出２−３プルダウン判定回路５８に供給され、これらの結果に基づき、パターン検出２−３プルダウン判定回路５８は、２−３プルダウン検出信号を検出結果出力部６０に供給する。
【００２２】
同様に、２−２プルダウン用フィールド間相関判定回路５６の出力と、２−２プルダウン用フレーム間相関判定回路５７の出力がパターン検出２−２プルダウン判定回路５９に供給され、これらの結果に基づき、パターン検出２−２プルダウン判定回路５９は、２−２プルダウン検出信号を検出結果出力部６０に供給する。
【００２３】
この結果、検出結果出力部６０は、２−２プルダウン検出信号または２−３プルダウン検出信号が供給されれば、この判定結果を最終的にプルダウン検出信号として後段へ供給する。
【００２４】
＜本発明の一実施形態に係る補間処理装置の補間処理の一例＞
次に、このような構成をもつ補間処理装置は、以下のような映像信号の補間処理を行なうものである。以下、図面を用いて、本発明の一実施形態に係る補間処理装置の補間処理の一例を説明する。図４は、本発明の一実施形態に係る補間処理装置における二つのプルダウン検出信号（第１プルダウン検出信号、第２プルダウン検出信号）の一例を示すタイミングチャートである。
【００２５】
また、図５は、本発明の一実施形態に係る補間処理装置における２−３プルダウン信号の処理の一例を示すタイミングチャート、図６は、同じく２−２プルダウン信号の処理の一例を示すタイミングチャートである。
【００２６】
図１において、画像処理のための構成１０における制御部１３は、プルダウン検出部５１からの第１プルダウン検出信号と補間処理部１２内のプルダウン検出部２１からの第２プルダウン検出信号を受けている。これら第１プルダウン検出信号と第２プルダウン検出信号の論理値の組合せは、図４に示すタイミングＴ１，Ｔ２，Ｔ３，Ｔ４のように、（第１プルダウン検出信号，第２プルダウン検出信号）＝（Ｈｉｇｈ，Ｈｉｇｈ），（Ｈｉｇｈ，Ｌｏｗ），（Ｌｏｗ，Ｈｉｇｈ），（Ｌｏｗ，Ｌｏｗ）の場合がある。なお、以下の実施形態では、アクティブがＨｉｇｈ、イナクティブがＬｏｗの場合を用いて説明するが、アクティブがＬｏｗ、イナクティブがＨｉｇｈであっても構わない。
【００２７】
ここで、プルダウン検出部２１，５１が検出する２−３プルダウン信号の処理及び２−２プルダウン信号の処理を図５及び図６を用いて説明する。
【００２８】
・２−３プルダウン信号の処理
２−３プルダウン信号は、図５に示されるように、２４コマ／秒のシネマコンテンツを６０Ｈｚのインターレース信号に変換する際に、１コマを２フィールドまたは３フィールドに変換した信号である。このＮＴＳＣ６０フィールド／秒の映像信号が画像処理部１１のＩＰ変換部１５に供給されると、２−３プルダウン処理がなされて６０フレーム／秒の映像信号となり、補間処理部１２に供給される。補間処理部１２に供給された６０フレーム／秒の映像信号は、プルダウン検出部２１等の検出結果に応じて、図５に示すように、ジャダーキャンセラー高を経て、１２０フレーム／秒の映像信号に変換される。
【００２９】
・２−２プルダウン信号の処理
同様に、２−２プルダウン信号は、図６に示されるように、２４コマ／秒のシネマコンテンツを５０Ｈｚのインターレース信号に変換する際に、１コマを２フィールドに変換した信号である。このＰＡＬ５０フィールド／秒の映像信号が画像処理部１１のＩＰ変換部１５に供給されると、２−２プルダウン処理がなされて５０フレーム／秒の映像信号となり、補間処理部１２に供給される。補間処理部１２に供給された５０フレーム／秒の映像信号は、プルダウン検出部２１等の検出結果に応じて、図６に示すように、ジャダーキャンセラー高を経て、１００フレーム／秒（または１２０フレーム／秒）の映像信号に変換される。
【００３０】
・段階的なジャダーキャンセラーの適用
次に、本発明の一実施形態である補間処理装置の上述した課題である、正確なプルダウン検出結果に応じた制御部１３及び倍速変換部２６の動作に応じた補間処理を、以下のように図７のフローチャートを用いて逐一説明する。図７は、本発明の一実施形態に係る補間処理装置における補間処理の一例を示すフローチャートである。
【００３１】
なお、以下の図７のフローチャートの各ステップは、回路ブロックに置き換えることができ、従って、各フローチャートのステップは、全てブロックに定義しなおすことが可能である。
【００３２】
この実施形態では、４つの補間処理の態様を有している。すなわち、一番性能が取れる（一番動きがスムーズ）ジャダーキャンセラー高と、次に動きがスムーズなジャダーキャンセラー中、一番動きがスムーズではないが若干効果があるジャダーキャンセラー低と、ジャダーキャンセラーを用いずに動きベクトルに応じた補間画像のみを使用する場合を説明する。
【００３３】
これら段階的なジャダーキャンセラーは、図８に示すように、一例として、
ジャダーキャンセラー高（補間画像の割合が８０％，４種類の補間画像）、
ジャダーキャンセラー中（補間画像の割合が８０％，２種類の補間画像）、
ジャダーキャンセラー低（補間画像の割合が４０％，２種類の補間画像）、
動きベクトルに応じた補間画像（補間画像の割合が２０％，２種類の補間画像）
を使用することが好適である。
【００３４】
基本的に、内挿フレームの数が多いほど画像の動きがスムーズになるが、その反面、一旦誤検出してしまうと画面品位として一番悪くなる。このトレードオフの関係の改善を、ＩＰ変換部１５（プルダウン検出部５１）でのプルダウン検出結果と補間処理部１２のプルダウン検出結果２１でのプルダウン検出結果の両方を用いることで以下のように実現する。
【００３５】
すなわち、制御部１３及び倍速変換部２６は、図７のフローチャートに示すように、初めに、ＩＰ変換部１５等（プルダウン検出部５１）から第１プルダウン検出信号を受け、更に、補間処理部１２の中のプルダウン検出部２１から第２プルダウン検出信号を取得する(ステップＳ１１)。次に、第１プルダウン検出信号の論理値がＨｉｇｈかＬｏｗかを検出し(ステップＳ１２)、Ｈｉｇｈであれば、第２プルダウン検出信号の論理値がＨｉｇｈかＬｏｗかを検出する(ステップＳ１３)。
【００３６】
また、制御部１３及び倍速変換部２６は、ステップＳ１２で第１プルダウン検出信号の論理値がＬｏｗであると判断すれば、次に、第２プルダウン検出信号の論理値がＨｉｇｈかＬｏｗかを検出する (ステップＳ１６)。
【００３７】
この結果、制御部１３及び倍速変換部２６は、二つのプルダウン信号の論理値の組合せ、（第１プルダウン検出信号，第２プルダウン検出信号）＝（Ｈｉｇｈ，Ｈｉｇｈ），（Ｈｉｇｈ，Ｌｏｗ），（Ｌｏｗ，Ｈｉｇｈ），（Ｌｏｗ，Ｌｏｗ）のどれかを検出することができる。
【００３８】
ここで、（第１プルダウン検出信号，第２プルダウン検出信号）＝（Ｈｉｇｈ，Ｈｉｇｈ）であれば、一例として、図８のタイミングチャートで補間処理（Ａ）として示す、ジャダーキャンセル高により、２−３プルダウンの６０フレーム／秒の画像信号に対して、補間処理を行なう。ここでの補間処理は、図８の（Ａ）に示すようにフレームＡ、フレームＡＢ１、フレームＡＢ２、フレームＡＢ３、フレームＡＢ４、フレームＢと続くが、フレームＡが現フレームであり、フレームＢが遅延フレームであれば、フレームＡＢ１は、フレームＡとフレームＢと、補間画像信号とから生成された、第１の補間フレームである。同様に、フレームＡＢ２は、フレームＡとフレームＢと、補間画像信号とから生成された、第２の補間フレームである。
【００３９】
ここで、フレームＡＢ１、フレームＡＢ２、フレームＡＢ３、フレームＡＢ４の違いは、一例として、フレームＡＢ１の方がフレームＡＢ２よりもフレームＡの影響を多く受けている補間画像であり、フレームＡＢ２の方がフレームＡＢ３よりもフレームＡの影響を多く受けている補間画像であり、フレームＡＢ３の方がフレームＡＢ４よりもフレームＡの影響を多く受けている補間画像である。
【００４０】
従って、補間処理（Ａ）のジャダーキャンセル高の方が、補間処理（Ｂ）のジャダーキャンセル中よりも、また、補間処理（Ｂ）のジャダーキャンセル高の方が、補間処理（Ｃ）のジャダーキャンセル低よりも、より段階的に可変画像を提供することができる。従って、補間処理（Ａ）のジャダーキャンセル高が最も滑らかな動画を表示することができる。
【００４１】
しかし、プルダウン検出信号に誤りがある場合、補間処理（Ａ）のジャダーキャンセル高の方が、補間処理（Ｂ）のジャダーキャンセル中よりも、また、補間処理（Ｂ）のジャダーキャンセル高の方が、補間処理（Ｃ）よりも、画像が破綻する程度は大きいと言える。
【００４２】
従って、プルダウン検出信号がより確かである場合に限り、補間画像の割合が相対的に高く補間画像の種類も相対的に多い高いジャダーキャンセラーを使用し、プルダウン検出信号の確からしさが低い場合は、補間画像の割合が相対的に低く補間画像の種類も相対的に少ない低いジャダーキャンセラーや、単なる動きベクトルを用いる保管処理（Ｄ）を採用することが好適である。
【００４３】
このようにして、制御部１３及び倍速変換部２６は、二つのプルダウン信号の論理値の組合せ（第１プルダウン検出信号，第２プルダウン検出信号）＝（Ｈｉｇｈ，Ｈｉｇｈ），（Ｈｉｇｈ，Ｌｏｗ），（Ｌｏｗ，Ｈｉｇｈ），（Ｌｏｗ，Ｌｏｗ）のどれかを検出することができる。
【００４４】
（第１の適用例）
この結果、制御部１３及び倍速変換部２６が検出した二つのプルダウン信号の論理値の組合せ（第１プルダウン検出信号，第２プルダウン検出信号）＝（Ｈｉｇｈ，Ｈｉｇｈ），（Ｈｉｇｈ，Ｌｏｗ），（Ｌｏｗ，Ｈｉｇｈ），（Ｌｏｗ，Ｌｏｗ）に応じて、以下のような補間処理を行なう(ステップＳ１４、Ｓ１５，Ｓ１７，Ｓ１８)。
【００４５】
なお、制御部１３及び倍速変換部２６による、二つのプルダウン検出信号の検出結果と、４つの補間処理の対応関係の第１の適用例を以下に示すが、これに限るものではない。
【００４６】
（第１プルダウン検出信号，第２プルダウン検出信号）＝（Ｈｉｇｈ，Ｈｉｇｈ）のとき、
→ジャダーキャンセル高の補間処理（Ａ）（補間画像の割合が８０％，４種類の補間画像）（図８）を用いる(ステップＳ１４)。
【００４７】
（第１プルダウン検出信号，第２プルダウン検出信号）＝（Ｈｉｇｈ，Ｌｏｗ）のとき、
→ジャダーキャンセル低の補間処理（Ｃ）（補間画像の割合が４０％，２種類の補間画像）（図８）を用いる(ステップＳ１５)。
【００４８】
この補間処理（Ｃ）は、ジャダーキャンセル高の補間処理（Ａ）よりも補間画像信号の割合が少ない状態で、映像信号と遅延映像信号に補間画像信号を補間する処理であると言える。
【００４９】
（第１プルダウン検出信号，第２プルダウン検出信号）＝（Ｌｏｗ，Ｈｉｇｈ）
→動きベクトルを用いた補間処理（Ｄ）（補間画像の割合が２０％，２種類の補間画像）（図８）を用いる(ステップＳ１７)。この補間処理（Ｄ）は、ジャダーキャンセル低の補間処理（Ｃ）よりも補間画像信号の割合が更に少ない状態で、映像信号と遅延映像信号に補間画像信号を補間する処理である。
【００５０】
（第１プルダウン検出信号，第２プルダウン検出信号）＝（Ｌｏｗ，Ｌｏｗ）のとき、
→動きベクトルを用いた補間処理（Ｄ）（補間画像の割合が２０％，２種類の補間画像）（図８）を用いる(ステップＳ１８)。この補間処理（Ｄ）は、ジャダーキャンセル低の補間処理（Ｃ）よりも補間画像信号の割合が更に少ない状態で、映像信号と遅延映像信号に補間画像信号を補間する処理である。
【００５１】
（第２の適用例）
更に、制御部１３及び倍速変換部２６による、二つのプルダウン検出信号の検出結果と、４つの補間処理の対応関係の他の例である、第２の適用例を以下に示す。
【００５２】
（第１プルダウン検出信号，第２プルダウン検出信号）＝（Ｈｉｇｈ，Ｈｉｇｈ）のとき、
→ジャダーキャンセル高の補間処理（Ａ）（補間画像の割合が８０％，４種類の補間画像）（図８）を行なう。
【００５３】
（第１プルダウン検出信号，第２プルダウン検出信号）＝（Ｈｉｇｈ，Ｌｏｗ）のとき、
→ジャダーキャンセル中の補間処理（Ｂ）（補間画像の割合が８０％，２種類の補間画像）（図８）を行なう。
【００５４】
（第１プルダウン検出信号，第２プルダウン検出信号）＝（Ｌｏｗ，Ｈｉｇｈ）のとき、
→ジャダーキャンセル低の補間処理（Ｃ）（補間画像の割合が４０％，２種類の補間画像）（図８）を行なう。
【００５５】
（第１プルダウン検出信号，第２プルダウン検出信号）＝（Ｌｏｗ，Ｌｏｗ）のとき、
→動きベクトル検出結果に基づく補間処理（Ｄ）（補間画像の割合が２０％，２種類の補間画像）（図８）を行なう。
【００５６】
第２の適用例の方が、第１の適用例よりも段階的に補間処理の程度を対応させた処理であると言える。
【００５７】
以上、詳細に説明したように、本発明の一実施形態である補間処理部１２及び制御部１３の働きによれば、複数のプルダウン検出信号の結果に応じて、段階的に補間画像信号の割合や補間画像の種類を変えて補間処理を行なっている。
【００５８】
従って、プルダウン検出結果の確からしさが非常に高いと思われる、第１プルダウン検出信号も第２プルダウン検出信号もＨｉｇｈの場合は、段階的に補間画像信号の割合を変えて補間処理を行なうことで滑らかな動画表現が可能となる。
【００５９】
一方、プルダウン検出結果の確からしさが低いと思われる、第１プルダウン検出信号や第２プルダウン検出信号の一方がＬｏｗのような場合は、もし誤検出だったとしても、補間画像信号の割合が比較的に低いので、画像が破綻する危険をある程度回避することができる。
【００６０】
（プルダウン検出部の誤判断を解消するための処理）
次に、他の実施形態として、制御部１３の働きにより、プルダウン検出部２１に内蔵する２−３プルダウン用フィールド間相関判定回路５４と、２−３プルダウン用フレーム間相関判定回路５５と、２−２プルダウン用フィールド間相関判定回路５６と、２−２プルダウン用フレーム間相関判定回路５７と、パターン検出２−３プルダウン判定回路５８と、パターン検出２−２プルダウン判定回路５９の判定の際の、基準値（アナログ値）を変更する処理について述べる。なお、この基準値は、上述した各回路５４，５５，５６，５７，５８，５９に入力される映像信号が、静止画であるか動画であるかを判断するための基準値（アナログ値）である。
【００６１】
すなわち、一般には、ノイズリダクション回路１６やスケーラ回路１７、画質処理回路１８等の画像処理の影響を受けていない映像信号が与えられるＩＰ変換部１５に含まれるプルダウン検出部５１の方が、補間処理部１２内のプルダウン検出部５１の検出結果よりも正確であるという推論が成り立つ。
【００６２】
従って、プルダウン検出部５１からの第１プルダウン検出信号の論理値が例えばＨｉｇｈであれば、これに併せて、プルダウン検出部２１の第２プルダウン検出信号の論理値もＨｉｇｈとなるように、プルダウン検出部２１に内蔵する２−３プルダウン用フィールド間相関判定回路５４と、２−３プルダウン用フレーム間相関判定回路５５と、２−２プルダウン用フィールド間相関判定回路５６と、２−２プルダウン用フレーム間相関判定回路５７と、パターン検出２−３プルダウン判定回路５８と、パターン検出２−２プルダウン判定回路５９の判定の際の、基準値を、制御部１３の働きにより変更することが好適である。
【００６３】
なお、２−３プルダウン用フィールド間相関判定回路５４、２−３プルダウン用フレーム間相関判定回路５５、２−２プルダウン用フィード検出回路５６、２−２プルダウン用フレーム間相関判定回路５７は、入力される映像信号が静止画か動画かを基準値（アナログ値）と比較して判断し、その判断結果に基づいて、それぞれ、各２−３プルダウン信号、２−２プルダウン信号を検出するものである。
【００６４】
これにより、プルダウン検出部２１の判断結果の精度を更に向上させることが可能となるものである。
【００６５】
＜本発明の一実施形態に係る補間処理装置が適用される映像表示装置の構成の一例＞
次に、本発明の一実施形態に係る補間処理装置を適用した放送受信装置の一例を図面を用いて説明する。図９は、本発明の一実施形態に係る補間処理装置を利用した映像表示装置の構成の一例を示すブロック図である。
【００６６】
上述した補間処理装置は、映像表示装置１００においては、画像処理部１１の後段の補間処理部１２として用いることが好適である。
【００６７】
（映像表示装置の構成と動作）
本発明の一実施形態に係る補間処理装置を適用した映像表示装置の一実施形態であるデジタルテレビジョン装置等の映像表示装置の構成の一例を、以下に図面を用いて詳細に説明する。図９は、補間処理装置を適用した映像表示装置の一実施形態であるデジタルテレビジョン装置等の映像表示装置の構成の一例を示すブロック図である。
【００６８】
映像表示装置１００は、図９に示すように一例としてテレビジョン装置であり、制御部１３０は全体の動作を司るべくデータバスを介して各部に接続されている。映像表示装置１００は、再生側を構成するＭＰＥＧデコーダ部１１６と、装置本体の動作を制御する制御部１３０とを主たる構成要素としている。映像表示装置１００は、入力側のセレクタ部１１４と出力側のセレクタ部１２０とを有しており、入力側のセレクタ部１１４には、ＢＳ／ＣＳ／地上波デジタルチューナ部１１２と、ＢＳ／地上波アナログチューナ部１１３が接続される。また、ＬＡＮ等やメール機能をもった通信部１１１がデータバスに接続されて設けられている。
【００６９】
映像表示装置１００は、更に、ＢＳ／ＣＳ／地上波デジタルチューナ部１１２からの復調信号を一時格納するバッファ部１１５と、格納された復調信号であるパケットを種類別に分離する分離部１１７と、分離部１１７から供給された映像音声用のパケットにＭＰＥＧデコード処理を施し映像音声信号を出力するＭＰＥＧデコーダ部１１６と、操作情報等を重畳するための映像信号を生成し映像信号に重畳するＯＳＤ（On Screen Display）重畳部１３４を有している。映像表示装置１００は、更に、ＭＰＥＧデコーダ部１１６からの音声信号に増幅処理等を施す音声処理部１１８と、ＭＰＥＧデコーダ部１１６から映像信号を受けて、所望の映像処理を施す画像処理部１１と、上述した本発明の一実施形態に係る補間処理部１２と、ＯＳＤ重畳部１３４と、音声信号及び映像信号の出力先を選択するセレクタ部１２０と、音声処理部１１８からの音声信号に応じて音声を出力するスピーカ部１２１と、セレクタ部１２０に接続されて与えられた映像信号に応じた映像を液晶表示画面等に表示する表示部１２２と、外部装置との通信を行うインタフェース部１２３を有する。
【００７０】
映像表示装置１００は、更に、ＢＳ／ＣＳ／地上波デジタルチューナ部１１２及びＢＳ／地上波アナログチューナ部１１３からの映像情報等を適宜記録する記憶部１３５と、放送信号等から電子番組情報を取得して画面表示等を行なう電子番組情報処理部１３６を有しており、これらは、データバスを介して制御部１３０に接続されている。映像表示装置１００は、更に、データバスを介して制御部１３０に接続されユーザの操作やリモコンＲの操作を受ける操作部１３２及び操作信号を表示する表示部１３３を有している。ここで、リモコンＲは、映像表示装置１００の本体に設けられる操作部１３２とほぼ同等の操作を可能とするものであり、チューナの操作等、各種設定が可能である。
【００７１】
このような構成をもった映像表示装置１００は、放送信号が受信アンテナからＢＳ／ＣＳ／地上波デジタルチューナ部１１２等に入力され、ここで選局が行われる。選局され復調されたパケット形式の復調信号は、分離部１１７により、種類別のパケットに分離され、音声映像用パケットがＭＰＥＧデコーダ部１１６等でデコード処理されて映像音声信号となって、音声処理部１１８及び画像処理部１１に供給される。
【００７２】
画像処理部１１は、与えられた映像信号について、例えば、ＩＰ変換部１５によりインターレース信号をプログレッシブに変換等の画像処理を行い、更に、上述した補間処理部１２によれば、複数のプルダウン検出信号の値に応じて、段階的なジャダーキャンセラー処理を行なうものである。また、動画像が滑らかな動きを示すための段階的な補間フレーム処理が施され、セレクタ部１２０に供給される。
【００７３】
セレクタ部１２０は、制御部１３０の制御信号に応じて例えば表示部１２２に映像信号を供給し、これにより映像信号に応じた映像が表示部１２２に表示される。また、音声処理部１１８からの音声信号に応じた音声がスピーカ部１２１から出力される。
【００７４】
また、ＯＳＤ重畳部１３４で生成された各種の操作情報や字幕情報等が放送信号に応じた映像信号に重畳され、画像処理部１１を経てこれに応じた映像が表示部１２２に表示される。
【００７５】
このように、上述した映像表示装置１００では、一例として、補間処理部１２において段階的なジャダーキャンセラー処理を行なうことで、動画像が破綻することなく、より滑らかな動きを示すようになり自然な動画表示が可能となる。
【００７６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００７７】
【図１】本発明の一実施形態に係る画像処理のための構成の一例を示すブロック図。
【図２】本発明の一実施形態に係る補間処理部の構成の一例を示すブロック図。
【図３】本発明の一実施形態に係る補間処理部が用いるプルダウン検出部の構成の一例を示すブロック図。
【図４】本発明の一実施形態に係る補間処理装置における二つのプルダウン検出信号の一例を示すタイミングチャート。
【図５】本発明の一実施形態に係る補間処理装置における２−３プルダウン信号の処理の一例を示すタイミングチャート。
【図６】本発明の一実施形態に係る補間処理装置における２−２プルダウン信号の処理の一例を示すタイミングチャート。
【図７】本発明の一実施形態に係る補間処理装置における補間処理の一例を示すフローチャート。
【図８】本発明の一実施形態に係る補間処理装置における２−２プルダウン信号の処理の一例を示すタイミングチャート。
【図９】本発明の一実施形態に係る補間処理装置が適用される映像表示装置の構成の一例を示すブロック図。
【符号の説明】
【００７８】
１０…画像処理のための構成、１１…画像処理装部、１２…補間処理部、１３…制御部、１４…ＬＣＤパネル、１５…ＩＰ変換回路、１６…ノイズリダクション回路、１７…スケーラ回路、１８…画質処理回路、２１…プルダウン検出部、２２…動きベクトル検出部、２３…動きベクトル補間画像生成部、２４…（フィールド遅延用）メモリ部、２５…（倍速変換用）メモリ部、２６…倍速変換部、５１…プルダウン検出部、５２…フィールド間差分回路、５３…フレーム間差分回路、５４…２−３プルダウン用フィールド間相関判定回路、５５…２−３プルダウン用フレーム間相関判定回路、５６…２−２プルダウン用フィールド間相関判定回路、５７…２−２プルダウン用フレーム間相関判定回路、５８…パターン検出２−３プルダウン判定回路、５９…パターン検出２−２プルダウン判定回路、６０…検出結果出力部。
【図１】
2009159321.tif 000003
【図２】
2009159321.tif 000004
【図３】
2009159321.tif 000005
【図４】
2009159321.tif 000006
【図５】
2009159321.tif 000007
【図６】
2009159321.tif 000008
【図７】
2009159321.tif 000009
【図８】
2009159321.tif 000010
【図９】
2009159321.tif 000011
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
映像信号を受け第１プルダウン検出信号を出力する第1プルダウン検出部と、
前記映像信号を受けて、ＩＰ変換とノイズリダクション処理とスケーラ処理と画質処理の内の少なくとも一つの画像処理を行う画像処理部と、
前記画像処理部により画像処理が施された映像信号を記憶領域に格納して遅延映像信号を出力するメモリ部と、
前記画像処理部により画像処理が施された映像信号および前記メモリ部から前記遅延映像信号を受けて第２プルダウン検出信号を出力する第２プルダウン検出部と、
前記画像処理部により画像処理が施された映像信号と前記メモリ部から受けた遅延映像信号を比較して動きベクトルを検出する動きベクトル検出部と、
前記動きベクトル検出部の検出結果と、前記画像処理部により画像処理が施された映像信号および前記メモリ部から受けた遅延映像信号に基づいて補間画像信号を生成する生成部と、
前記第１プルダウン検出信号および前記第２プルダウン検出信号の検出結果が、両方ともプルダウンを検出した場合、前記第１プルダウン検出信号のみが検出した場合、前記第２プルダウン検出信号のみが検出した場合、両方とも検出しなかった場合について、前記画像処理部により画像処理が施された映像信号に前記補間画像信号を補間する際に前記補間画像信号の補間の程度を異ならせて補間することで変換後の映像信号を出力する補間部と、を具備することを特徴とする補間処理装置。
【請求項２】
前記補間部が前記補間画像信号の補間の程度を異ならせるとは、前記画像処理部により画像処理が施される映像信号と、前記補間画像信号との割合を異ならせることを特徴とする請求項１記載の補間処理装置。
【請求項３】
前記第１及び第２プルダウン検出部は、前記映像信号から２−３プルダウン映像信号または２−２プルダウン映像信号を検出することを特徴とする請求項１記載の補間処理装置。
【請求項４】
前記補間部は、供給される映像信号を二倍以上の周波数の映像信号に変換して出力することを特徴とする請求項１記載の補間処理装置。
【請求項５】
映像信号を受け第１プルダウン検出信号を出力し、
前記映像信号を受けて、ＩＰ変換とノイズリダクション処理とスケーラ処理と画質処理の内の少なくとも一つの画像処理を行い、
前記画像処理が施された映像信号を記憶領域に格納して遅延映像信号を出力し、
前記画像処理が施された映像信号および前記遅延映像信号を受けて、第２プルダウン検出信号を出力し、
前記画像処理が施された映像信号と前記遅延映像信号を比較して動きベクトルを検出し、
前記動きベクトル検出結果と、前記画像処理が施された映像信号および前記遅延映像信号に基づいて補間画像信号を生成し、
前記第１プルダウン検出信号および前記第２プルダウン検出信号の検出結果が、両方ともプルダウンを検出した場合、前記第１プルダウン検出信号のみが検出した場合、前記第２プルダウン検出信号のみが検出した場合、両方とも検出しなかった場合について、前記画像処理が施された映像信号に前記補間画像信号を補間する際に前記補間画像信号の補間の程度を異ならせて補間することを特徴とする補間画像方法。
【請求項６】
放送信号を受信して映像信号を出力するチューナ部と、
前記チューナ部からの前記映像信号を受け第１プルダウン検出信号を出力する第1プルダウン検出部と、
前記映像信号を受けて、ＩＰ変換とノイズリダクション処理とスケーラ処理と画質処理の内の少なくとも一つの画像処理を行う画像処理部と、
前記画像処理部により画像処理が施された映像信号を記憶領域に格納して遅延映像信号を出力するメモリ部と、
前記画像処理部により画像処理が施された映像信号および前記メモリ部から前記遅延映像信号を受けて第２プルダウン検出信号を出力する第２プルダウン検出部と、
前記画像処理部により画像処理が施された映像信号と前記メモリ部から受けた遅延映像信号を比較して動きベクトルを検出する動きベクトル検出部と、
前記動きベクトル検出部の検出結果と、前記画像処理部により画像処理が施された映像信号および前記メモリ部から受けた遅延映像信号に基づいて補間画像信号を生成する生成部と、
前記第１プルダウン検出信号および前記第２プルダウン検出信号の検出結果が、両方ともプルダウンを検出した場合、前記第１プルダウン検出信号のみが検出した場合、前記第２プルダウン検出信号のみが検出した場合、両方とも検出しなかった場合について、前記画像処理部により画像処理が施された映像信号に前記補間画像信号を補間する際に前記補間画像信号の補間の程度を異ならせて補間することで変換後の映像信号を出力する補間部と、
前記補間部から供給される変換後の映像信号に基づいて映像を表示する表示部と、
を具備することを特徴とする映像表示装置である。
【手続補正２】
【補正対象書類名】明細書
【補正対象項目名】０００６
【補正方法】変更
【補正の内容】
【０００６】
課題を解決するための一実施形態は、
映像信号を受け第１プルダウン検出信号を出力する第1プルダウン検出部と、
前記映像信号を受けて、ＩＰ変換とノイズリダクション処理とスケーラ処理と画質処理の内の少なくとも一つの画像処理を行う画像処理部と、
前記画像処理部により画像処理が施された映像信号を記憶領域に格納して遅延映像信号を出力するメモリ部と、
前記画像処理部により画像処理が施された映像信号および前記メモリ部から前記遅延映像信号を受けて第２プルダウン検出信号を出力する第２プルダウン検出部と、
前記画像処理部により画像処理が施された映像信号と前記メモリ部から受けた遅延映像信号を比較して動きベクトルを検出する動きベクトル検出部と、
前記動きベクトル検出部の検出結果と、前記画像処理部により画像処理が施された映像信号および前記メモリ部から受けた遅延映像信号に基づいて補間画像信号を生成する生成部と、
前記第１プルダウン検出信号および前記第２プルダウン検出信号の検出結果が、両方ともプルダウンを検出した場合、前記第１プルダウン検出信号のみが検出した場合、前記第２プルダウン検出信号のみが検出した場合、両方とも検出しなかった場合について、前記画像処理部により画像処理が施された映像信号に前記補間画像信号を補間する際に前記補間画像信号の補間の程度を異ならせて補間することで変換後の映像信号を出力する補間部と、を具備することを特徴とする補間処理装置である。